(57)【要約】【課題】複数タイプの表示パネルモジュールを共通に同一形状のキャビネットに収容する液晶表示装置において、表示パネルモジュール自体の形状変更を実質的にすることなく、搭載する複数の無線通信ユニットを相互の干渉を抑制することができる技術を提供する。【解決手段】液晶テレビ１０の表示パネル１２の背面（バックライトシャーシ２０）の外縁四辺にキャビ／モジュール共用化結合アングル５０が取り付けられている。メイン回路基板２６の真上の上辺アングル５１には樹脂製の台座７０が取り付けられ、その台座７０にはＢＴユニット３２が取り付けられている。メイン回路基板２６の下側部分には無線ＬＡＮユニット３４が取り付けられている。【選択図】図１
2015012555.tif 000002
【特許請求の範囲】
【請求項１】
表示パネルの背面側の金属シャーシの外縁部分に取り付けられたアングルと、
前記アングルに固定された樹脂製の台座と、
前記台座に取り付けられた第１の無線通信ユニットと、
前記第１の無線通信ユニットが取り付けられた前記台座とは異なる部材に取り付けられた第２の無線通信ユニットと、
を有することを特徴とする薄型表示装置。
【請求項２】
前記アングルは、同一画面サイズを有するが異なる外形である表示パネルを、同一形状の筐体に配置可能に前記外形を調整する部材である
ことを特徴とする請求項１に記載の薄型表示装置。
【請求項３】
前記台座は、前記アングルと、前記金属シャーシと一体にビス固定されることを特徴とする請求項２に記載の薄型表示装置。
【請求項４】
前記台座とは異なる部材は、前記金属シャーシの背面に配置された回路基板であって、前記回路基板に前記第２の無線通信ユニットが配置されていることを特徴とする請求項２または３に記載の薄型表示装置。
【請求項５】
前記第１の無線通信ユニットは、前記回路基板にケーブルによって接続され、前記金属シャーシに固定されて配索されていることを特徴とする請求項４に記載の薄型表示装置。
【請求項６】
前記台座は、前記第１の無線通信ユニットを嵌め込む嵌合部を備えることを特徴とする請求項２から５までのいずれかに記載の薄型表示装置。
【発明の詳細な説明】
【技術分野】
【０００１】
本発明は、薄型表示装置に係り、複数の無線通信ユニットを搭載する薄型表示装置に関する。
【背景技術】
【０００２】
一般的に、液晶表示装置において、バックライトがエッジ型と直下型とでは、表示モジュールタイプが異なる。つまり、表示モジュール（表示パネル）の形状・サイズが異なってくる。一方で、キャビネットを共通とすることで、液晶表示装置のデザインの共通性を持たせたり、また、金型共通化によるコスト低減を図ることがある。
【０００３】
表示モジュールタイプが異なる場合、それら表示モジュールの形状・サイズも異なり、そのままでは、共通のキャビネットに取り付けができないことが多い。さらに、表示モジュールの背面等には回路基板等の各種部品が配置されることから、表示モジュールの形状が異なると、それら部品の配置等の設計変更等が発生してしまうことも多い。その結果、市場投入される液晶表示装置では、結局は異なるキャビネットが採用されることになる。
【０００４】
そのような背景のもと、複数の表示モジュールタイプに対応させるため各種の技術が提案されている。例えば、複数の取付孔の組を設けることで、複数の部品、複数のサイズの部品に対応することのできる樹脂シャーシベースを提供する技術がある（例えば特許文献１参照）。具体的には、電気基板を固定し、電気機器の内部に配備された部品に取り付けられる樹脂シャーシベースであって、複数の部品及び／又は複数のサイズの部品にネジ止めするための複数組の取付孔を開設したものである。上記樹脂シャーシベースは、該樹脂シャーシベースの何れかの組の取付孔を用いてネジ止めされる。
【先行技術文献】
【特許文献】
【０００５】
【特許文献１】特開２０１２−１７７８５７号公報
【発明の概要】
【発明が解決しようとする課題】
【０００６】
ところで、特許文献１の技術では、樹脂シャーシに部品を取り付けるには、所定の取り付け孔に部品を合わせた上でビス止めをする必要がある。このため、製造工程が複雑になるという課題があった。また、設計変更や部品の変更等に柔軟に対応できず別の技術が必要とされていた。例えば、外部機器との通信の為の通信ユニットとして、無線ＬＡＮ、ブルートゥース（登録商標；以下、「ＢＴ」と略する）、赤外線通信などの通信ユニットが用いられる。この場合、表示モジュールに変更があると、複数の通信ユニットを配置した場合における干渉の問題や不要輻射の問題等への配慮から、表示パネルモジュール等に通信ユニットを固定してしまうと、設計変更を少なくして金型等を新たに興すことなく対応すること等が非常に難しかった。
【０００７】
本発明は以上のような状況に鑑みなされたものであって、上記課題を解決する技術を提供することを目的とする。
【課題を解決するための手段】
【０００８】
本発明の薄型表示装置は、表示パネルの背面側の金属シャーシの外縁部分に取り付けられたアングルと、前記アングルに固定された樹脂製の台座と、前記台座に取り付けられた第１の無線通信ユニットと、前記第１の無線通信ユニットが取り付けられた前記台座とは異なる部材に取り付けられた第２の無線通信ユニットと、を有する。
また、前記アングルは、同一画面サイズを有するが異なる外形である表示パネルを、同一形状の筐体に配置可能に前記外形を調整する部材であってもよい。
また、前記台座は、前記アングルと、前記金属シャーシと一体にビス固定されてもよい。
また、前記台座とは異なる部材は、前記金属シャーシの背面に配置された回路基板であって、前記回路基板に前記第２の無線通信ユニットが配置されてもよい。
また、前記第１の無線通信ユニットは、前記回路基板にケーブルによって接続されて、前記ケーブルは、前記金属シャーシに固定され配索されてもよい。
前記台座は、前記第１の無線通信ユニットを嵌め込む嵌合部を備えてもよい。
【発明の効果】
【０００９】
本発明によれば、複数の無線通信ユニットを搭載する薄型表示装置において、かつ複数タイプの表示パネルモジュールを共通に同一形状のキャビネットに収容する薄型表示装置において、表示パネルモジュール自体の形状変更を実質的にすることなく、表示パネルモジュールに少なくとも一つの無線通信ユニットを取り付けて、それら複数の無線通信ユニットを相互の干渉を抑制する技術を実現できる。
【図面の簡単な説明】
【００１０】
【図１】実施形態に係る、液晶テレビの背面を示す図である。
【図２】実施形態に係る、キャビ／モジュール共用化結合アングルを示す図である。
【図３】実施形態に係る、キャビ／モジュール共用化結合アングルのうち上辺アングルがバックライトシャーシに取り付けられている領域を拡大して示す図である。
【図４】実施形態に係る、ＢＴユニットが台座を介して表示パネルに取り付けられている構造を示す断面図である。
【図５】実施形態に係る、ＢＴユニットの台座への固定構造を示した図である。
【発明を実施するための形態】
【００１１】
次に、本発明を実施するための形態（以下、単に「実施形態」という）を、図面を参照して具体的に説明する。
【００１２】
図１は本実施形態に係る液晶テレビ１０の背面を示す図であって、バックキャビネット１４（図４参照）を取り除いた状態を示している。
【００１３】
液晶テレビ１０の表示パネル１２の背面、より具体的にはバックライトシャーシ２０の外縁四辺にキャビ／モジュール共用化結合アングル５０が取り付けられている。キャビ／モジュール共用化結合アングル５０は、同一サイズの画面サイズにもかかわらず表示パネル１２の表示モジュールタイプ（バックライトの種類）が異なる等によって外形サイズが異なる場合に、所望の外形サイズになるように調整する部材である。このキャビ／モジュール共用化結合アングル５０を用いることで、同一タイプのキャビネット内に表示パネル１２を収容することができる。
【００１４】
キャビ／モジュール共用化結合アングル５０として、バックライトシャーシ２０の上辺Ａ１に取り付けられる上辺アングル５１と、下辺Ａ２に取り付けられる下辺アングル５２と、側面Ａ３に取り付けられる側辺アングル５３とを備える。上辺アングル５１は、左右に並んで３箇所に取り付けられている。同様に、下辺アングル５２も、左右に並んで３箇所に取り付けられている。各辺Ａ１〜Ａ３に取り付けるキャビ／モジュール共用化結合アングル５０（上辺アングル５１、下辺アングル５２、側辺アングル５３）の数は適宜調整することができる。
【００１５】
また、バックライトシャーシ２０の中央付近には縦方向に２本の補強フレーム１６が取り付けられている。さらに、バックライトシャーシ２０の図示右側の領域にはメイン回路基板２６が取り付けられている。
【００１６】
さらに、メイン回路基板２６の図示真上の上辺アングル５１には樹脂製の台座７０が取り付けられ、その台座７０にはＢＴユニット３２が取り付けられている。ＢＴユニット３２からメイン回路基板２６に延びるＢＴ用ハーネス３３は、実質的に最短経路となるように線整形され、テープによってバックライトシャーシ２０に固定されている。
【００１７】
また、メイン回路基板２６の下側部分には無線ＬＡＮユニット３４が取り付けられている。したがって、ＢＴユニット３２は表示パネル１２の上辺部分に、無線ＬＡＮユニット３４は表示パネル１２の中央より下側部分にそれぞれ位置する。その結果、パネルサイズが６０インチクラス以上であれば、ＢＴユニット３２と無線ＬＡＮユニット３４との干渉を所望の基準以下に抑えることができる。
【００１８】
以下、図２〜図５を参照して、ＢＴユニット３２のバックライトシャーシ２０への配置構造を具体的に説明する。
【００１９】
図２はキャビ／モジュール共用化結合アングル５０を示す図である。図２（ａ）は正面図、図２（ｂ）は平面図（上面図）、図２（ｃ）は側面図、図２（ｄ）は図２（ａ）のＡ−Ａ断面図、図２（ｅ）は図２（ａ）のＢ−Ｂ断面図である。
【００２０】
キャビ／モジュール共用化結合アングル５０は、側面視及び断面視で略Ｌ字形状を呈している。具体的には、キャビ／モジュール共用化結合アングル５０は、スチール等の金属板で一体で構成されており、第１アングルベース部６１、第２アングルベース部６２と、アングル側面部６３とを備える。
【００２１】
第１アングルベース部６１と第２アングルベース部６２はバックライトシャーシ２０に対向して配置される部分であって、それぞれ長方形の形状を呈している。第１アングルベース部６１がバックライトシャーシ２０（表示パネル１２）の外側方向に、第２アングルベース部６２がバックライトシャーシ２０の内側方向に配置される。また、第１アングルベース部６１と第２アングルベース部６２との境界部分は段差となっている。
【００２２】
第１アングルベース部６１の上端部分からアングル側面部６３が直角に折れ曲がって延出している。アングル側面部６３は、上辺アングル５１がバックライトシャーシ２０の取り付けられたときに、表示パネル１２の上面部分に対向するように配置される。
【００２３】
第２アングルベース部６２の下端付近には固定用開孔６６が複数形成されている。ここでは図示左側及び右側にそれぞれ２個ずつ合計４個形成されている。固定用開孔６６は、上辺アングル５１をバックライトシャーシ２０にビス固定するため用いられる。また、所定の１つの固定用開孔６６は、台座７０を固定するためにも用いられる。
【００２４】
図３はキャビ／モジュール共用化結合アングル５０のうち上辺アングル５１がバックライトシャーシ２０に取り付けられている領域を拡大して示す図である。また、図４はＢＴユニット３２が台座７０を介して表示パネル１２（バックライトシャーシ２０）に取り付けられている構造を示す断面図であって、主にフロントキャビネット１３とバックキャビネット１４に囲まれた領域上部部分を示している。
【００２５】
図示のように、バックライトシャーシ２０の上辺部分に上辺アングル５１がビス固定される。具体的には、第２アングルベース部６２の固定用開孔６６とバックライトシャーシ２０の固定用開孔２４とが一致する部分で、ビス９０によって上辺アングル５１がバックライトシャーシ２０に固定される。さらに、バックライトシャーシ２０と上辺アングル５１とのそれら固定の一部において、台座７０がバックライトシャーシ２０と上辺アングル５１とに共締めされる。ここでは、第２アングルベース部６２の一番左側の固定用開孔６６が台座７０の固定に用いられている。
【００２６】
図５はＢＴユニット３２の台座７０への固定構造を示した図である。図５（ａ）は上辺アングル５１に台座７０が取り付けられているが、ＢＴユニット３２が台座７０に取り付けられていない状態の斜視図を示している。また、図５（ｂ）は上辺アングル５１に台座７０が取り付けられ、かつＢＴユニット３２が台座７０に取り付けられた状態の斜視図を示している。さらに、図５（ｃ）はＢＴユニット３２が台座７０に取り付けられた状態の正面図を示している。
【００２７】
台座７０は、樹脂製の成形品であって、板状の台座ベース部７２と、台座ベース部７２から垂直に延出するユニット配置部７４とを備え、ＢＴユニット３２を嵌め込む。ユニット配置部７４は、６ヶ所にリブ状に延出して形成されている。具体的には、ＢＴユニット３２の四隅が配置される４本の先端段差状のリブと、ＢＴユニット３２の所定の２辺（図示で上下の２辺）を係止する２本の爪状のリブとから構成されている。
【００２８】
また、台座ベース部７２において、ユニット配置部７４に囲まれる領域には固定用開孔７６が形成されている。固定用開孔７６は、ＢＴユニットホルダーである台座７０を上辺アングル５１及びバックライトシャーシ２０にビス９０で固定するために用いられる。
【００２９】
つまり、ＢＴユニットホルダーである台座７０はバックライトシャーシ２０（表示パネル１２）に固定するためビス９０が用いられるが、ＢＴユニット３２自体は樹脂で成型された上下左右６本のリブ（ユニット配置部７４）に嵌めることで固定されるためビス止めの必要はない。
【００３０】
無線ＬＡＮユニットから干渉が抑制され、通信感度・強度が良好で、ＥＭＩ（不要輻射的）に有利な、いずれかの辺のアングルに向け、ユニットのケーブルをＢＬシャーシに這わせてテープ２８等の線整形部材で固定する。また、台座をアングルにビス固定する。ビス固定の際には、バックライトシャーシ２０と、キャビ／モジュール共用化結合アングル５０とを共締めする態様が採用される。本実施形態では、筐体上辺（上辺アングル５１）にＢＴユニット３２を取り付ける事で、電波の干渉が少なく、例えば１０ｍ以上遠く離れたＢＴ機器（３Ｄメガネ等）との通信に対して、安定した信号の送受信が可能となる。例えば、液晶テレビ１０のパネルサイズが７０インチクラスの場合、ユーザの視聴距離も従来以上に長くなる場合も多くなるため、より効果的である。
【００３１】
なお、台座７０が取り付けられるアングルとして、上辺アングル５１に限る趣旨でなく、製品レイアウト等の諸条件により他辺のアングル（下辺アングル５２や側辺アングル５３）や、同じ上辺アングル５１でも、別の位置のアングルにも取り付けることができる。ただし、本実施形態では、ＢＴユニット３２と無線ＬＡＮユニット３４との干渉を抑制する為に、それらの距離を十分確保する必要があるが、無線ＬＡＮユニット３４はメイン回路基板２６の下側に取り付けられる為、キャビネットの下側部分（下辺アングル５２）にＢＴユニット３２を配置すると電波の干渉が発生し性能確保が難しい。
【００３２】
また、図４に示すように、ＢＴユニット３２本体は最終組み立て時に、背面から被される樹脂製部材のバックキャビネット１４と、上辺アングル５１に取り付けた樹脂製部材である台座７０に囲われる状態になり、金属部（バックライトシャーシ２０）からの干渉を抑制することができる。
【００３３】
したがって、筐体上辺のキャビ／モジュール共用化結合アングル５０つまり上辺アングル５１にＢＴユニット３２を取り付けることで、ＢＴユニット３２と無線ＬＡＮユニット３４との干渉を抑制することができる。また、取り付けの為に表示パネル１２自体の形状加工、変更は不要である。
【００３４】
バックライトシャーシ２０を大きなシールドとみなすことができ、バックライトシャーシ２０に這わせるようにＢＴユニット３２のＢＴ用ハーネス３３を整形しているため、不要輻射対策として効果的である。
【００３５】
さらに、振動／落下試験での信頼性確保が容易である。つまり、ＢＴユニットホルダーである台座７０は、上辺アングル５１（キャビ／モジュール共用化結合アングル５０）及び表示パネル１２（バックライトシャーシ２０）に、一つのビス９０で共締めで固定されている。また、ＢＴユニット３２自体は樹脂で成型された上下左右６本の爪状のユニット配置部７４に嵌めることで確実に固定される。このため、液晶テレビ１０に作用する振動や落下時の衝撃によって、ＢＴユニット３２や台座７０が外れてしまうことを防止できる。したがって、それらの確認のためになされる振動／落下試験での信頼性確保が容易である。
【００３６】
以上、本発明を実施形態をもとに説明した。この実施形態は例示であり、それらの各構成要素の組み合わせ等にいろいろな変形例が可能なこと、またそうした変形例も本発明の範囲にあることは当業者に理解されるところである。なお、本実施形態では、表示パネルモジュールタイプが異なる例としてバックライトの種類が異なる場合を例示したが、これに限る趣旨ではない。同一種類のバックライトであっても仕様変更があって形状に変更が発生する場合や、また、表示パネルの調達ルートが変更になって異なる形状となる場合等のときも、上記の技術を用いることで、液晶テレビ１０全体（特に外観）の設計変更を最小にしつつ、複数搭載される無線通信ユニット間の干渉を所望の範囲に抑制できる。
【符号の説明】
【００３７】
１０  液晶テレビ
１２  表示パネル
１３  フロントキャビネット
１４  バックキャビネット
１６  補強フレーム
２０  バックライトシャーシ
２４、６６、７６  固定用開孔
２６  メイン回路基板
２８  テープ
３２  ＢＴユニット
３３  ＢＴ用ハーネス
３４  無線ＬＡＮユニット
５０  キャビ／モジュール共用化結合アングル
５１  上辺アングル
５２  下辺アングル
５３  側辺アングル
６１  第１アングルベース部
６２  第２アングルベース部
６３  アングル側面部
７０  台座
７２  台座ベース部
７４  ユニット配置部
９０  ビス
【図１】
2015012555.tif 000003
【図２】
2015012555.tif 000004
【図３】
2015012555.tif 000005
【図４】
2015012555.tif 000006
【図５】
2015012555.tif 000007